(57)【要約】      （修正有）【課題】ドアの開放のための前方、左右部位、上方に大きな設置スペースを設けることなく、開口部をドアによって開閉することができる開口部の開閉装置およびショットブラス装置用開口部の開閉装置を得る。【解決手段】開口部２、３および該開口部の下部３に、開口部よりも大きなスペースを有するパネル４あるいは躯体と、このパネルあるいは躯体の開口部の下部を除く周縁および開口部の下部位置に設けられたドア１２を上下方向にスライド移動可能に支持するドア支持枠１０と、このドア支持枠に上下方向にスライド移動可能に支持された前記開口部を覆うドアと、このドアで前記開口部を覆った状態を保持する保持機構１３とで開口部の開閉装置１を構成する。【選択図】図１
2005169560.tif 000002
【特許請求の範囲】
【請求項１】
開口部および該開口部の下部に、開口部よりも大きなスペースを有するパネルあるいは躯体と、このパネルあるいは躯体の開口部の下部を除く周縁および開口部の下部位置に設けられたドアを上下方向にスライド移動可能に支持するドア支持枠と、このドア支持枠に上下方向にスライド移動可能に支持された前記開口部を覆うドアと、このドアで前記開口部を覆った状態を保持する保持機構とからなることを特徴とする開口部の開閉装置。
【請求項２】
開口部および該開口部の下部に、開口部よりも大きなスペースを有するショットブラスト装置の機枠ケースの前面パネルと、この前面パネルの開口部の下部を除く背面の周縁および開口部の下部位置に設けられたドアを上下方向にスライド移動可能に支持するドア支持枠と、このドア支持枠に上下方向にスライド移動可能に支持された前記開口部を覆うドアと、このドアで前記開口部を覆った状態を保持する保持機構とからなることを特徴とするショットブラスト装置用開口部の開閉装置。
【発明の詳細な説明】
【技術分野】
【０００１】
本発明はドアを備える各種作業機械や建物等の開口部の開閉装置およびショットブラスト装置用開口部の開閉装置に関する。
【背景技術】
【０００２】
従来の各種作業機械や建物等の開口部の開閉装置は、ドアの開口端部を前方へ回動させたり、左右方向へスライド移動させたり、上方へ回動させるものが使用されている。
【０００３】
このようなドアはドアの開放のために、前方、左右部位、上方に大きな設置スペースが必要になるという欠点があるとともに、開放したドアがじゃまになるという欠点があった。
【特許文献１】特になし
【発明の開示】
【発明が解決しようとする課題】
【０００４】
本発明は以上のような従来の欠点に鑑み、ドアの開放のための前方、左右部位、上方に大きな設置スペースを設けることなく、開口部をドアによって開閉することができる開口部の開閉装置およびショットブラス装置用開口部の開閉装置を提供することを目的としている。                  
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は開口部および該開口部の下部に、開口部よりも大きなスペースを有するパネルあるいは躯体と、このパネルあるいは躯体の開口部の下部を除く周縁および開口部の下部位置に設けられたドアを上下方向にスライド移動可能に支持するドア支持枠と、このドア支持枠に上下方向にスライド移動可能に支持された前記開口部を覆うドアと、このドアで前記開口部を覆った状態を保持する保持機構とで開口部の開閉装置を構成している。
【０００７】
また、本発明は開口部および該開口部の下部に、開口部よりも大きなスペースを有するショットブラスト装置の機枠ケースの前面パネルと、この前面パネルの開口部の下部を除く背面の周縁および開口部の下部位置に設けられたドアを上下方向にスライド移動可能に支持するドア支持枠と、このドア支持枠に上下方向にスライド移動可能に支持された前記開口部を覆うドアと、このドアで前記開口部を覆った状態を保持する保持機構とでショットブラスト装置用開口部の開閉装置を構成している。
【発明の効果】
【０００８】
以上の説明から明らかなように、本発明にあっては次に列挙する効果が得られる。
【０００９】
（１）開口部より下部に該開口部よりも大きなスペースを有するパネルあるいは躯体の開口部を上下方向にスライド移動させるドアで開閉することができる。
したがって、従来のようにパネルの前方、左右部位、上方にドアを開放するための大きな設置スペースが不要で、小さな設置スペースに設置することができる。
【００１０】
（２）前記（１）によって、ドアの開放時にドアが外方へ突出することがなく、じゃまになったり、ドアとの衝突事故を確実に防止することができる。
【００１１】
（３）前記（１）によって、開口部を有するパネルあるいは躯体をドアの開放のために大きく設定する必要がなく、小型コンパクト化を図ることができる。
【００１２】
（４）請求項２も前記（１）〜（３）と同様な効果が得られるとともに、ショットブラスト装置の小型コンパクト化を図ることができる。
【発明を実施するための最良の形態】
【００１３】
以下、図面に示す本発明を実施するための最良の形態より、本発明を詳細に説明する。
【００１４】
図１ないし図８に示す本発明を実施するための最良の第１の形態において、１は上下部に開口部２、３が形成された前面パネル４を用いた機枠ケース5の上部がブラスト処理室６となり、下部が投射材処理室７となるようにホッパー状の仕切壁８で仕切られたショットブラスト装置９の上部の開口部の開閉装置で、この開口部の開閉装置１は前記前面パネル４の上部開口部２の下部を除く周縁および上部開口部２の下部位置の背面に溶接等によって固定されたドアを上下方向にスライド移動可能に支持する、チャンネル材で門型に形成したドア支持枠１０と、このドア支持枠１０にパッキング１１を介して上下方向にスライド移動可能に支持された、前記上部開口部２を開閉可能に覆うドア１２と、このドア１２で前記上部開口部２を覆った状態を保持する保持機構１３とで構成されている。
【００１５】
前記保持機構１３は前記ドア１２の上部寄りの部位の両側部に取付けられた、常時スプリング１４で外方へ突出するように付勢された一対の係止片１５、１５と、この一対の係止片１５、１５の先端部と係止する、前記ドア支持枠１０に形成された係止孔１６、１６と、前記一対の係止片１５、１５の係止孔１６、１６との係止状態を解除する方向に移動させることができる、該一対の係止片１５、１５の後端部に固定された操作レバー１７、１７とで構成されている。
【００１６】
なお、１８は前記ブラスト処理室６内に回転可能に取付けられたバスケット、１９はこのバスケット１８を回転駆動させるバスケット駆動モーター、２０は前記仕切壁８より落下する投射材やバリを選別する大バリ選別用振動篩２１、投射材選別用振動篩２２、ダスト収納容器２３および振動機２４を備える投射材選別装置、２５は投射材選別装置２０で選別された投射材を収納する投射材収納室２６より投射材輸送管２７で吸引して前記バスケット１８内へ投射する投射機、２８、２８は前記前面パネル４の下部開口部３を開閉する複数個のヒンジ部材２９で開閉可能に取付けられた開閉式のドアである。
【００１７】
上記構成のショットブラスト装置用開口部の開閉装置１は、ブラスト処理室６を開閉するドア１２を投射材処理室７が位置する下方へスライド移動させることにより、前面パネル４の上部開口部２を開放してバリを除去する製品の投入、バリが除去された製品の取り出し作業を行なうことができる。
このため、ドア１２の開放のための設置スペースが不要で、小型コンパクト化を図ることができるとともに、ドア１２の開閉作業を楽な位置で行なうことができる。
[発明を実施するための異なる形態]
【００１８】
次に、図９ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図９ないし図１１に示す本発明を実施するための第２の形態において、前記本発明を実施するための最良の第１の形態と主に異なる点は、ドア１２の両側部にラック３０、３０を固定し、該ラック３０、３０と対応する部位のドア支持枠１０の両側部に複数対の、該ラック３０、３０と噛み合うピニオン３１、３１を取付けるとともに、上部開口部２の下部より下部に設置した一対のピニオン３１、３１を駆動軸３２に固定し、該駆動軸３２を正・逆回転させる正・逆回転モーター３３を用いた保持機構を備えるドア上下移動装置３４を用いた点で、このように構成した開口部の開閉装置１Ａは、前記本発明を実施するための最良の第１の形態と同様な作用効果が得られるとともに、ドア１２の開閉を正・逆回転モーター３３の正・逆回転により、自動的に行なうことができる。
【００２０】
図１２ないし図１４に示す本発明を実施するための第３の形態において、前記本発明を実施するための最良の第１の形態と主に異なる点は、ドアの支持枠１０の両側上下面に２対のスプロケット３５、３５、３５、３５を取付け、該２対の
スプロケット３５、３５、３５、３５に一部がドア１２の両側部に固定されたタイミングベルト３６、３６を掛け渡すとともに、上下部のいずれか一方、本発明を実施する形態では上部のスプロケット３５、３５を駆動軸３７に固定し、該駆動軸３７を正・逆回転モーター３３で正・逆回転させてドア１２を上下移動させる保持機構を備えるドア移動装置３４Ａを用いた点で、このように構成した開口部の開閉装置１Ｂは、前記本発明を実施するための最良の第１の形態と同様な作用効果が得られるとともに、ドア１２の開閉を正・逆回転モーター３３の正・逆回転により、自動的に行なうことができる。
【００２１】
図１５ないし図１７に示す本発明を実施するための第４の形態において、前記本発明を実施するための最良の第１の形態と主に異なる点は、建物の開口部２Ａが形成された部位の躯体３８に取付けられた点で、このように構成した開口部の開閉装置１Ｃにしても、前記本発明を実施するための最良の第１の形態と同様な作用効果が得られる。
【００２２】
なお、前記本発明を実施するための各形態では、ドア支持枠１０を前面パネル４の背面に固定するものについて説明したが、本発明はこれに限らず、前面に固定してもよい。
また、ドア１２を自動的に開閉するドア上下移動装置３４、３４Ａとして、正・逆回転モーター３３を用いるものについて説明したが、本発明はこれに限らず、ドアを自動的に上下移動させることができれば、どんな装置を用いてもよい。
【産業上の利用可能性】
【００２３】
本発明は開口部の開閉装置を製造する産業および、ドアを用いた各種作業機械を製造する産業で利用される。
【図面の簡単な説明】
【００２４】
【図１】本発明を実施するための最良の第１の形態の正面図。
【図２】本発明を実施するための最良の第１の形態の側面図。
【図３】本発明を実施するための最良の第１の形態の平面図。
【図４】図１の４−４線に沿う断面図。
【図５】図１の５−５線に沿う断面図。
【図６】本発明を実施するための最良の第１の形態のドアが取付けられた前面パネルの背面図。
【図７】本発明を実施するための最良の第１の形態の保持機構の説明図。
【図８】本発明を実施するための最良の第１の形態のドアを開放した状態の正面図。
【図９】本発明を実施するための第２の形態の正面図。
【図１０】図９の１０−１０線に沿う断面図。
【図１１】本発明を実施するための第２の形態のドアが取付けられた前面パネルの背面図。
【図１２】本発明を実施するための第３の形態の正面図。
【図１３】図１２の１３−１３線に沿う断面図。
【図１４】本発明を実施するための第３の形態のドアが取付けられた前面パネルの背面図。
【図１５】本発明を実施するための第４の形態の正面図。
【図１６】図１５の１６−１６線に沿う断面図。
【図１７】本発明を実施するための第４の形態の背面図。
【符号の説明】
【００２５】
１、１Ａ、１Ｂ、１Ｃ：開口部の開閉装置、
２、２Ａ：上部開口部、          ３：下部開口部、
４：前面パネル、                ５：機枠ケース、
６：ブレスト処理室、            ７：投射材処理室、
８：仕切壁、                    ９：ショットブラスト装置、
１０：ドア支持枠、              １１：パッキング、
１２：ドア、                                １３：保持機構、
１４：スプリング、              １５：係止片、
１６：係止孔、                  １７：操作レバー、
１８：バスケット、              １９：バスケット駆動モーター、
２０：投射材選別装置、          ２１：大バリ選別用振動篩、
２２：投射材選別用振動篩、      ２３：ダスト収納容器、
２４：振動機、                  ２５：投射機、
２６：投射材収納室、            ２７：投射材輸送管、
２８：ドア、                    ２９：ヒンジ部材、
３０：ラック、                  ３１：ピニオン、
３２：駆動軸、                  ３３：正・逆回転モーター、
３４、３４Ａ：ドア上下移動装置、
３５：スプロケット、            ３６：タイミングベルト、
３７：駆動軸、                  ３８：躯体。
【図１】
2005169560.tif 000003
【図２】
2005169560.tif 000004
【図３】
2005169560.tif 000005
【図４】
2005169560.tif 000006
【図５】
2005169560.tif 000007
【図６】
2005169560.tif 000008
【図７】
2005169560.tif 000009
【図８】
2005169560.tif 000010
【図９】
2005169560.tif 000011
【図１０】
2005169560.tif 000012
【図１１】
2005169560.tif 000013
【図１２】
2005169560.tif 000014
【図１３】
2005169560.tif 000015
【図１４】
2005169560.tif 000016
【図１５】
2005169560.tif 000017
【図１６】
2005169560.tif 000018
【図１７】
2005169560.tif 000019